(57)【要約】【課題】表示特性のばらつきが少なくて、表示が明るく、高コントラストであり、視野角依存性の少ない透過型液晶表示装置を提供する。【解決手段】バックライト側から順に、偏光板、波長５５０ｎｍにおける位相差値が５０乃至１８０ｎｍである第２の光学異方性層、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置。【選択図】図４
2008129177.tif 000002
【特許請求の範囲】
【請求項１】
バックライト側から順に、偏光板、波長５５０ｎｍにおける位相差値が５０乃至１８０ｎｍである第２の光学異方性層、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項２】
バックライト側から順に、偏光板、波長５５０ｎｍにおける位相差値が５０乃至２００ｎｍである第３の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層、波長５５０ｎｍにおける位相差値が５０乃至１８０ｎｍである第２の光学異方性層および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項３】
バックライト側から順に、偏光板、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至１８０ｎｍである第２の光学異方性層、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項４】
バックライト側から順に、偏光板、波長５５０ｎｍにおける位相差値が５０乃至２００ｎｍである第３の光学異方性層、波長５５０ｎｍにおける位相差値が５０乃至１８０ｎｍである第２の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項５】
バックライト側から順に、偏光板、波長５５０ｎｍにおける位相差値が５０乃至１８０ｎｍである第２の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項６】
バックライト側から順に、偏光板、波長５５０ｎｍにおける位相差値が５０乃至２００ｎｍである第３の光学異方性層、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至１８０ｎｍである第２の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置。
【請求項７】
前記第２及び第３の光学異方性層が、ポリカーボネート樹脂あるいは環状ポリオレフィン樹脂を含有する熱可塑性高分子を含むことを特徴とする請求項１〜６のいずれかに記載の透過型液晶表示装置。
【請求項８】
前記第２及び第３の光学異方性層が、光学的に正の一軸性を示す液晶物質が液晶状態において形成したネマチック配向を固定化してなる液晶フィルムであることを特徴とする請求項１〜６のいずれかに記載の透過型液晶表示装置。
【請求項９】
前記偏光板の吸収軸と前記第３の光学異方性層の遅相軸とが直交あるいは平行になるように積層されていることを特徴とする請求項１〜８のいずれかに記載の透過型液晶表示装置。
【請求項１０】
第１の光学異方性層の液晶フィルムのハイブリッド方向を基板平面に投影したチルト方向と液晶層のラビング方向との角度が３０度以内の範囲にあることを特徴とする請求項１〜９のいずれかに記載の透過型液晶表示装置。
【請求項１１】
第１の光学異方性層の液晶フィルムのハイブリッド方向を基板平面に投影したチルト方向と第２の光学異方性層の遅相軸との角度が７０度以上１１０度以下の範囲にあることを特徴とする請求項１〜１０のいずれかに記載の透過型液晶表示装置。
【請求項１２】
前記偏光板の吸収軸と前記第１の光学異方性層の液晶フィルムのハイブリッド方向を基板平面に投影したチルト方向とのなす角度が３０度以上６０度以下の範囲にあること特徴とする請求項１〜１１のいずれかに記載の透過型液晶表示装置。
【請求項１３】
第１の光学異方性層の液晶フィルムが、光学的に正の一軸性を示す液晶物質からなり、当該液晶物質が液晶状態において形成したネマチックハイブリッド配向を固定化した液晶フィルムであり、当該ネマチックハイブリッド配向における平均チルト角が５〜４５度の液晶フィルムであることを特徴とする請求項１〜１２のいずれかに記載の透過型液晶表示装置。
【発明の詳細な説明】
【技術分野】
【０００１】
本発明は、ワードプロセッサやパーソナルコンピュータなどのＯＡ機器や、電子手帳、携帯電話等の携帯情報機器、あるいは、液晶モニターを備えたカメラ一体型ＶＴＲ等に用いられる透過型液晶表示装置に関する。
【背景技術】
【０００２】
液晶表示装置は、通常、液晶セル、偏光板および光学補償シート（位相差板）から構成される。透過型液晶表示装置では、一対の偏光板の間に液晶セルを挟持し、一枚または複数枚の光学補償シートを液晶セルと偏光板との間に配置する。
液晶セルは、棒状液晶性分子、それを封入するための二枚の基板および棒状液晶性分子に電圧を加えるための電極層からなる。液晶セルの方式としては、ＴＮ（Twisted Nematic）方式、ＳＴＮ（Super Twisted Nematic）方式、ＥＣＢ（Electrically Controlled Birefringence）方式、ＩＰＳ（In-Plane Switching）方式、ＶＡ（Vertical Alignment）方式、ＯＣＢ（Optically Compensated Birefringence）方式、ＨＡＮ（Hybrid Aligned Nematic）方式、ＡＳＭ（Axially Symmetric Aligned Microcell）方式、ハーフトーングレイスケール方式、ドメイン分割方式、あるいは強誘電性液晶、反強誘電性液晶を利用した表示方式等の各種の方式が挙げられる。
【０００３】
ところで、透過型液晶表示装置は、液晶分子の持つ屈折率異方性のために斜めから見た時に表示コントラストが低下する、表示色が変化する、あるいは階調が反転するなどの視野角の問題が避けられずその改善が望まれている。
この問題を解決させる方法として、従来、ＴＮ方式（液晶のねじれ角９０度）を用いた透過型液晶表示装置では、光学補償フィルムを液晶セルと上下偏光板の間に配置する提案がなされ、実用化されている。
例えば、ディスコチック液晶をハイブリッド配向させた光学補償フィルムを液晶セルと上下偏光板の間に配置した構成、また液晶性高分子をネマチックハイブリッド配向させた光学補償フィルムを液晶セルと上下偏光板の間に配置した構成などが知られている（特許文献１〜３）。
【０００４】
しかしながら、ＴＮ方式の場合、コントラストが広がる領域は改善されるが、階調が反転する範囲が広く、必ずしも視野角特性は十分とは言えない。これは、液晶層が９０度ねじれている分、電圧を印加した時の液晶セル内の液晶分子の傾斜している部分が９０度方位まで広がる分、階調反転する範囲が広がることに起因する。
上記理由から、階調が反転する範囲を狭めるという意味では、前記液晶セルの方式としては、液晶分子のねじれ角が０度でかつホモジニアス配向したＥＣＢ方式を利用した表示方式が好ましい。ＥＣＢ方式の視野角改善として、ホモジニアス液晶セルの上下にネマチックハイブリッド配向させた光学補償フィルムと１軸性位相差フィルムをそれぞれ２枚配置した構成が提案されている（特許文献４）。
【０００５】
しかしながら、この方法を用いても、斜めから見た時に表示コントラストが低下する、表示色が変化する、あるいは階調が反転するなどの視野角の問題は解決しておらず、更に上下合計４枚のフィルムを使う分、各フィルムのパラメータのばらつきによる表示特性のばらつきが多い、総膜厚が厚くなる、信頼性が落ちる等、課題が残っており、これらの改良が望まれている。
【特許文献１】特許第２６４００８３号公報
【特許文献２】特開平１１−１９４３２５号公報
【特許文献３】特開平１１−１９４３７１号公報
【特許文献４】特開２００５−２０２０１０１号公報
【発明の開示】
【発明が解決しようとする課題】
【０００６】
本発明は上述の問題点を解決するものであり、表示特性のばらつきが少なくて、表示が明るく、高コントラストであり、視野角依存性の少ない透過型液晶表示装置を提供するものである。
【課題を解決するための手段】
【０００７】
本発明の第１は、バックライト側から順に、偏光板、波長５５０ｎｍにおける位相差値が５０乃至１８０ｎｍである第２の光学異方性層、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【０００８】
本発明の第２は、バックライト側から順に、偏光板、波長５５０ｎｍにおける位相差値が５０乃至２００ｎｍである第３の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層、波長５５０ｎｍにおける位相差値が５０乃至１８０ｎｍである第２の光学異方性層および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【０００９】
本発明の第３は、バックライト側から順に、偏光板、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至１８０ｎｍである第２の光学異方性層、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【００１０】
本発明の第４は、バックライト側から順に、偏光板、波長５５０ｎｍにおける位相差値が５０乃至２００ｎｍである第３の光学異方性層、波長５５０ｎｍにおける位相差値が５０乃至１８０ｎｍである第２の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【００１１】
本発明の第５は、バックライト側から順に、偏光板、波長５５０ｎｍにおける位相差値が５０乃至１８０ｎｍである第２の光学異方性層、互いに対向配置された上基板と下基板との間に液晶層が挟持されたホモジニアス配向液晶セル、波長５５０ｎｍにおける位相差値が２０乃至１４０ｎｍである第１の光学異方性層、波長５５０ｎｍにおける位相差値が５０乃至２００ｎｍである第３の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【００１２】
本発明の第６は、バックライト側から順に、偏光板、波長５５０ｎｍにおける位相差値が５０乃至２００ｎｍである第３の光学異方性層、波長５５０ｎｍにおける位相差値が２０乃至１４０ｎｍである第１の光学異方性層、互いに対向配置された上基板と下基板との間に液晶層が挟持されたホモジニアス配向液晶セル、波長５５０ｎｍにおける位相差値が５０乃至１８０ｎｍである第２の光学異方性層、および偏光板から少なくとも構成される液晶表示装置であって、第１の光学異方性層が、ネマチックハイブリッド配向構造を固定化した液晶フィルムから少なくとも構成されることを特徴とする透過型液晶表示装置に関する。
【００１３】
本発明の第７は、前記第２及び第３の光学異方性層が、ポリカーボネート樹脂あるいは環状ポリオレフィン樹脂を含有する熱可塑性高分子を含むことを特徴とする前記のいずれかに記載の透過型液晶表示装置に関する。
【００１４】
本発明の第８は、前記第２及び第３の光学異方性層が、光学的に正の一軸性を示す液晶物質が液晶状態において形成したネマチック配向を固定化してなる液晶フィルムであることを特徴とする前記のいずれかに記載の透過型液晶表示装置に関する。
【００１５】
本発明の第９は、前記偏光板の吸収軸と前記第３の光学異方性層の遅相軸とが直交あるいは平行になるように積層されていることを特徴とする前記のいずれかに記載の透過型液晶表示装置に関する。
【００１６】
本発明の第１０は、第１の光学異方性層の液晶フィルムのハイブリッド方向を基板平面に投影したチルト方向と液晶層のラビング方向との角度が３０度以内の範囲にあることを特徴とする前記のいずれかに記載の透過型液晶表示装置に関する。
【００１７】
本発明の第１１は、第１の光学異方性層の液晶フィルムのハイブリッド方向を基板平面に投影したチルト方向と第２の光学異方性層の遅相軸との角度が７０度以上１１０度以下の範囲にあることを特徴とする前記のいずれかに記載の透過型液晶表示装置に関する。
【００１８】
本発明の第１２は、前記偏光板の吸収軸と前記第１の光学異方性層の液晶フィルムのハイブリッド方向を基板平面に投影したチルト方向とのなす角度が３０度以上６０度以下の範囲にあること特徴とする前記のいずれかに記載の透過型液晶表示装置に関する。
【００１９】
本発明の第１３は、第１の光学異方性層の液晶フィルムが、光学的に正の一軸性を示す液晶物質からなり、当該液晶物質が液晶状態において形成したネマチックハイブリッド配向を固定化した液晶フィルムであり、当該ネマチックハイブリッド配向における平均チルト角が５〜４５度の液晶フィルムであることを特徴とする前記のいずれかに記載の透過型液晶表示装置に関する。
【発明の効果】
【００２０】
本発明の液晶表示装置は、表示が明るく、正面コントラストが高く、視野角依存性の少ない特徴を有している。
【発明を実施するための最良の形態】
【００２１】
以下、本発明を詳細に説明する。
本発明の透過型液晶表示装置は、以下のような（１）〜（６）の６通りのいずれかの構成からなり、必要に応じて光拡散層、光制御フィルム、導光板、プリズムシート等の部材が更に追加されるが、これらに特に制限は無い。視野角依存性の少ない光学特性を得ると言う点では、（１）〜（６）のいずれの構成を用いても構わない。
【００２２】
（１）偏光板／第３の光学異方性層／液晶セル／第１の光学異方性層／第２の光学異方性層／偏光板／バックライト
（２）偏光板／第２の光学異方性層／第１の光学異方性層／液晶セル／第３の光学異方性層／偏光板／バックライト
（３）偏光板／第３の光学異方性層／第２の光学異方性層／液晶セル／第１の光学異方性層／偏光板／バックライト
（４）偏光板／第１の光学異方性層／液晶セル／第２の光学異方性層／第３の光学異方性層／偏光板／バックライト
（５）偏光板／第３の光学異方性層／第１の光学異方性層／液晶セル／第２の光学異方性層／偏光板／バックライト
（６）偏光板／第２の光学異方性層／液晶セル／第１の光学異方性層／第３の光学異方性層／偏光板／バックライト
【００２３】
以下、本発明に用いられる液晶セルについて説明する。
本発明において液晶セルの方式としては、ホモジニアス配向セルを用いる。ホモジニアス配向セルとは、そのツイスト角度は略０度のセルである。ここでいう略０度とは、０度以上、５度以下のツイスト角度をいう。液晶セルの位相差（Δｎｄ）は２００ｎｍ〜４００ｎｍが好ましく、さらに好ましくは２３０ｎｍ〜３５０ｎｍである。この範囲を外れた場合、不必要な着色や明るさの低下を招き好ましくない。
また、液晶セルの駆動方式も特に制限はなく、ＳＴＮ−ＬＣＤ等に用いられるパッシブマトリクス方式、並びにＴＦＴ(Thin Film Transistor)電極、ＴＦＤ(Thin Film Diode)
電極等の能動電極を用いるアクティブマトリクス方式、プラズマアドレス方式等のいずれの駆動方式であっても良い。
【００２４】
液晶セルは、互いに対向配置された２つの透明基板（以下、観察者側を上基板、バックライト側を下基板ということがある。）との間に液晶層が挟持された構成から成る。
前記液晶層を形成する液晶性を示す材料としては、特に制限されず、各種の液晶セルを構成し得る通常の各種低分子液晶物質、高分子液晶物質およびこれらの混合物が挙げられる。また、これらに液晶性を損なわない範囲で色素やカイラル剤、非液晶性物質等を添加することもできる。前記液晶セルは、前記電極基板および液晶層の他に、前述の各種の方式の液晶セルとするのに必要な各種の構成要素や、後述する各種の構成部材を備えていても良い。
【００２５】
液晶セルを構成する透明基板としては、液晶層を構成する液晶性を示す材料を特定の配向方向に配向させるものであれば特に制限はない。具体的には、基板自体が液晶を配向させる性質を有している透明基板、基板自体は配向能に欠けるが、液晶を配向させる性質を有する配向膜等をこれに設けた透明基板等がいずれも使用できる。また、液晶セルの電極は、ＩＴＯ等の公知のものが使用できる。電極は通常、液晶層が接する透明基板の面上に設けることができ、配向膜を有する基板を使用する場合は、基板と配向膜との間に設けることができる。
【００２６】
本発明に用いられる偏光板は、本発明の目的が達成し得るものであれば特に制限されず、液晶表示装置に用いられる通常のものを適宜使用することができる。具体的には、ポリビニルアルコール（ＰＶＡ）や部分アセタール化ＰＶＡのようなＰＶＡ系やエチレン−酢酸ビニル共重合体の部分ケン化物等からなる親水性高分子フィルムに、ヨウ素および／または２色性色素を吸着した偏光フィルム、ポリ塩化ビニルの脱塩酸処理物のようなポリエン配向フィルムなどからなる偏光フィルムを使用することができる。また、反射型の偏光フィルムも使用することができる。
【００２７】
該偏光板は、偏光フィルム単独で使用しても良いし、強度向上、耐湿性向上、耐熱性の向上等の目的で偏光フィルムの片面または両面に透明保護層等を設けたものであっても良い。透明保護層としては、ポリエステル、トリアセチルセルロース、環状オレフィン系高分子等の透明プラスチックフィルムを直接または接着層を介して積層したもの、透明樹脂の塗布層、アクリル系やエポキシ系等の光硬化型樹脂層などが挙げられる。これら透明保護層を偏光フィルムの両面に被覆する場合、両側に異なる保護層を設けても良い。
【００２８】
次に、本発明に使用する光学異方性層について順に説明する。
まず、第２及び第３の光学異方性層について説明する。
前記光学異方性層としては、透明性と均一性に優れたものであれば特に制限されないが、高分子延伸フィルムや、液晶からなる光学フィルムが好ましく使用できる。高分子延伸フィルムとしては、セルロース系、ポリカーボネート系、ポリアリレート系、ポリスルフォン系、ポリアクリル系、ポリエーテルスルフォン系、環状オレフィン系高分子等からなる１軸又は２軸位相差フィルムを例示することができる。ここに例示した第２及び第３の光学異方性層は、高分子延伸フィルムのみで構成されても良いし、液晶からなる光学フィルムのみで構成されても良いし、高分子延伸フィルムと液晶からなる光学フィルムの両方を併用することもできる。中でもポリカーボネート系または環状オレフィン系高分子がコスト面およびフィルムの均一性や複屈折波長分散特性が小さいことにより画質の色変調が抑えられる点等で好ましい。
【００２９】
また、液晶からなる光学フィルムとしては、主鎖型および／または側鎖型の各種液晶性高分子化合物、例えば、液晶性ポリエステル、液晶性ポリカーボネート、液晶性ポリアクリレート等や配向後架橋等により高分子量化できる反応性を有する低分子量の液晶化合物等からなる光学フィルムを挙げることができ、これらは自立性のある単独フィルムでも透明支持基板上に形成されたものでもよい。
【００３０】
面内方向にｘ方向、ｙ方向を取り、厚さ方向をｚ方向とする場合、正の１軸性光学異方性層は、屈折率としてｎｘ＞ｎｙ＝ｎｚの関係を有する。また、正の２軸性光学異方性層は、屈折率としてｎｘ＞ｎｚ＞ｎｙの関係を有する。負の１軸性光学異方性層は、屈折率としてｎｘ＝ｎｙ＞ｎｚの関係を有する。負の２軸性光学異方性層は、屈折率としてｎｘ＞ｎｙ＞ｎｚの関係を有する。
【００３１】
第２の光学異方性層は、第２の光学異方性層の厚さをｄ２、第２の光学異方性層面内の主屈折率をＮｘ２およびＮｙ２、厚さ方向の主屈折率をＮｚ２、かつ、Ｎｘ２＞Ｎｚ２≧Ｎｙ２を満たし、波長５５０ｎｍの光における面内のリターデーション値Ｒｅ２を、    
Ｒｅ２＝（Ｎｘ２−Ｎｙ２）×ｄ２［ｎｍ］
とした場合に、第２の光学異方性層面内のリターデーション値（Ｒｅ２）は、通常５０ｎｍ〜１８０ｎｍ、好ましくは７０ｎｍ〜１６０ｎｍ、さらに好ましくは１００ｎｍ〜１４０ｎｍの範囲である。Ｒｅ２値が上記範囲を外れた場合には、十分な視野角改良効果が得られないかあるいは、斜めから見たときに不必要な色付きが生じる恐れがある。
【００３２】
第３の光学異方性層は、直交に配置される２枚の偏光板の視野角を補償するために使用される。第３の光学異方性層の厚さをｄ３、第３の光学異方性層面内の主屈折率をＮｘ３およびＮｙ３、厚さ方向の主屈折率をＮｚ３、かつ、Ｎｘ３＞Ｎｚ３≧Ｎｙ３を満たし、波長５５０ｎｍの光における面内のリターデーション値Ｒｅ３を、
Ｒｅ３＝（Ｎｘ３−Ｎｙ３）×ｄ３［ｎｍ］
とした場合に、第３の光学異方性層面内のリターデーション値（Ｒｅ３）は、通常５０ｎｍ〜２００ｎｍ、好ましくは７０ｎｍ〜１８０ｎｍ、さらに好ましくは１００ｎｍ〜１４０ｎｍの範囲である。Ｒｅ３値が上記範囲を外れた場合には、十分な視野角改良効果が得られないかあるいは、斜めから見たときに不必要な色付きが生じる恐れがある。
【００３３】
本発明に用いられる第１の光学異方性層は、光学的に正の一軸性を示す液晶性高分子、具体的には光学的に正の一軸性を示す液晶性高分子化合物または少なくとも１種の該液晶性高分子化合物を含有する光学的に正の一軸性を示す液晶性高分子組成物から成り、該液晶性高分子化合物または該液晶性高分子組成物が液晶状態において形成した平均チルト角が５〜４５度のネマチックハイブリッド配向構造を固定化した液晶フィルムを少なくとも含む層である。
【００３４】
本発明で言うネマチックハイブリッド配向とは、液晶分子がネマチック配向しており、このときの液晶分子のダイレクターとフィルム平面のなす角がフィルム上面と下面とで異なった配向形態を言う。したがって、上面界面近傍と下面界面近傍とで該ダイレクターとフィルム平面との成す角度が異なっていることから、該フィルムの上面と下面との間では該角度が連続的に変化しているものといえる。
またネマチックハイブリッド配向状態を固定化したフィルムは、液晶分子のダイレクターがフィルムの膜厚方向のすべての場所において異なる角度を向いている。したがって当該フィルムは、フィルムという構造体として見た場合、もはや光軸は存在しない。
【００３５】
また本発明でいう平均チルト角とは、液晶フィルムの膜厚方向における液晶分子のダイレクターとフィルム平面との成す角度の平均値を意味するものである。本発明に供される液晶フィルムは、フィルムの一方の界面付近ではダイレクターとフィルム平面との成す角度が、絶対値として通常２０〜９０度、好ましくは４０〜８０度、さらに好ましくは５０〜６０度の角度をなしており、当該面の反対においては、絶対値として通常０〜２０度、好ましくは０〜１０度の角度を成しており、その平均チルト角は、絶対値として通常５〜４５度、好ましくは２０〜４５度、さらに好ましくは２５〜４０度である。平均チルト角が上記範囲から外れた場合、斜め方向から見た場合のコントラストの低下等の恐れがあり望ましくない。なお平均チルト角は、クリスタルローテーション法を応用して求めることができる。
【００３６】
本発明に用いられる第１の光学異方性層を構成する液晶フィルムは、上記のような液晶性高分子化合物や液晶性高分子組成物のネマチックハイブリッド配向状態が固定化され、かつ特定の平均チルト角を有するものからなるが、ネマチックハイブリッド配向し、かつ平均チルト角の範囲を満たすものであれば、如何様な液晶から形成されたものであっても構わない。例えば低分子液晶を液晶状態においてネマチックハイブリッド配向に形成後、光架橋や熱架橋によって固定化して得られる液晶フィルムを用いることもできる。なお本発明でいう液晶フィルムとは、フィルム自体が液晶性を呈するか否かを問うものではなく、低分子液晶、高分子液晶などの液晶物質をフィルム化することによって得られるものを意味する。
【００３７】
また第１の光学異方性層を構成する液晶フィルムの法線方向から見た場合の面内の見かけの位相差値としては、ネマチックハイブリッド配向したフィルムでは、ダイレクターに平行な方向の屈折率（以下ｎｅと呼ぶ）と垂直な方向の屈折率（以下ｎｏと呼ぶ）が異なっており、ｎｅからｎｏを引いた値（ｎｅ−ｎｏ）を見かけ上の複屈折率とした場合、見かけ上の位相差値は見かけ上の複屈折率と絶対膜厚との積で与えられるとする。この位相差値は、エリプソメトリー等の偏光光学測定により容易に求めることができる。光学異方性層として用いられる液晶フィルムの位相差値は、波長５５０ｎｍにの単色光に対して、２０ｎｍ〜１４０ｎｍの範囲である。位相差値が２０ｎｍ未満の時は、十分な視野角拡大効果が得られない恐れがある。また、１４０ｎｍより大きい場合は、斜めから見たときに液晶表示装置に不必要な色付きが生じる恐れがある。
【００３８】
また第１の光学異方性層を構成する液晶フィルムの平均チルト角および位相差値は、上述の範囲にあることが必要であるが、第１の光学異方性層を構成する液晶性高分子や液晶性化合物の物性等より該フィルムの膜厚は変化するが、通常０．２μｍ〜１０μｍ、好ましくは０．３μｍ〜５μｍ、特に好ましくは０．５μｍ〜２μｍの範囲である。膜厚が０．２μｍ未満の時は、十分な補償効果が得られない恐れがある。また膜厚が１０μｍを越えると表示装置の表示が不必要に色づく恐れがある。
【００３９】
本発明の液晶表示装置における光学異方性層の具体的な配置条件について説明するが、より具体的な配置条件を説明するにあたり、図１〜図３を用いて液晶フィルムからなる光学異方性層の上下、該光学異方性層のチルト方向および液晶セル層のプレチルト方向をそれぞれ以下に定義する。
まず液晶フィルムからなる光学異方性層の上下を、該光学異方性層を構成する液晶フィルムのフィルム界面近傍における液晶分子ダイレクターとフィルム平面との成す角度によってそれぞれ定義すると、液晶分子のダイレクターとフィルム平面との成す角度が鋭角側で２０〜９０度の角度を成している面をｂ面とし、該角度が鋭角側で０〜２０度の角度を成している面をｃ面とする。この光学異方素子のｂ面から液晶フィルム層を通してｃ面を見た場合、液晶分子ダイレクターとダイレクターのｃ面への投影成分が成す角度が鋭角となる方向で、かつ投影成分と平行な方向を光学異方素子のチルト方向と定義する（図１及び図２）。
次いで通常、液晶セル層のセル界面では、駆動用低分子液晶はセル界面に対して平行ではなくある角度もって傾いており一般にこの角度をプレチルト角と言うが、セル界面の液晶分子のダイレクターとダイレクターの界面への投影成分とがなす角度が鋭角である方向で、かつダイレクターの投影成分と平行な方向を液晶セル層のプレチルト方向と定義する（図３）。
【００４０】
前記第１、第２、第３の光学異方性層及び偏光板は、それぞれ接着剤層あるいは粘着剤層を介して互いに貼り合わせることにより作製してもよい。
接着剤層を形成する接着剤としては、光学異方性層に対して十分な接着力を有し、かつ光学異方性層の光学的特性を損なわないものであれば、特に制限はなく、例えば、アクリル樹脂系、メタクリル樹脂系、エポキシ樹脂系、エチレン−酢酸ビニル共重合体系、ゴム系、ウレタン系、ポリビニルエーテル系およびこれらの混合物系や、熱硬化型および／または光硬化型、電子線硬化型等の各種反応性のものを挙げることができる。これらの接着剤は、光学異方性質層を保護する透明保護層の機能を兼ね備えたものも含まれる。
粘着剤層を形成する粘着剤は特に制限されないが、例えば、アクリル系重合体、シリコーン系ポリマー、ポリエステル、ポリウレタン、ポリアミド、ポリエーテル、フッ素系やゴム系などのポリマーをベースポリマーとするものを適宜に選択して用いることができる。特に、アクリル系粘着剤の如く光学的透明性に優れ、濡れ性、凝集性や粘着特性の調整が容易で、耐候性や耐熱性などに優れるものが好ましく用いうる。
【００４１】
接着剤層または粘着剤層（以下、接着剤と粘着剤を合わせて「粘・接着剤」ということがある。）の形成は、適宜な方式で行うことができる。その例としては、例えば、トルエンや酢酸エチル等の適宜な溶剤の単独物又は混合物からなる溶媒にベースポリマーまたはその組成物を溶解又は分散させた１０〜４０重量％程度の粘・接着剤溶液を調製し、それを流延方式や塗工方式等の適宜な展開方式で前記光学異方性層上に直接付設する方式、あるいは前記に準じセパレータ上に粘・接着剤層を形成してそれを前記光学異方性層上に移着する方式などが挙げられる。また、粘・接着剤層には、例えば天然物や合成物の樹脂類、特に、粘着性付与樹脂や、ガラス繊維、ガラスビーズ、金属粉、その他の無機粉末等からなる充填剤や顔料、着色剤、酸化防止剤などの添加剤を含有していてもよい。また微粒子を含有して光拡散性を示す粘・接着剤層などであってもよい。
なお、光学異方性層間を接着剤層あるいは粘着剤層を介して、互いに貼り合せる際には、光学異方性層表面を表面処理して接着剤層あるいは粘着剤層との密着性を向上することができる。表面処理の手段は、特に制限されないが、前記光学異方性層表面の透明性を維持できるコロナ放電処理、スパッタ処理、低圧ＵＶ照射、プラズマ処理などの表面処理法を好適に採用できる。これら表面処理法のなかでもコロナ放電処理が良好である。
【００４２】
次に、上記部材から構成される本発明の液晶表示装置の構成について説明する。
本発明の液晶表示装置の構成は、図４、図７、図１０、図１３、図１６、図１９に示すような以下の６通りから選ばれることを必須とする。
（１）偏光板／第３の光学異方性層／液晶セル／第１の光学異方性層／第２の光学異方性層／偏光板／バックライト
（２）偏光板／第２の光学異方性層／第１の光学異方性層／液晶セル／第３の光学異方性層／偏光板／バックライト
（３）偏光板／第３の光学異方性層／第２の光学異方性層／液晶セル／第１の光学異方性層／偏光板／バックライト
（４）偏光板／第１の光学異方性層／液晶セル／第２の光学異方性層／第３の光学異方性層／偏光板／バックライト
（５）偏光板／第３の光学異方性層／第１の光学異方性層／液晶セル／第２の光学異方性層／偏光板／バックライト
（６）偏光板／第２の光学異方性層／液晶セル／第１の光学異方性層／第３の光学異方性層／偏光板／バックライト
【００４３】
液晶セル内の液晶層のプレチルト方向とネマチックハイブリッド配向構造を固定化した液晶フィルムからなる第１の光学異方性層のチルト方向のなす角度は０度から３０度の範囲が好ましく、より好ましくは０度から２０度の範囲であり、特に好ましくは０度から１０度の範囲である。両者のなす角度が３０度を超えると十分な視野角補償効果が得られない恐れがある。
また、第２の光学異方性層の遅相軸と第１の光学異方性層のチルト方向のなす角度は７０度以上１１０度以下であることが好ましい。さらに好ましくは８０度以上１００度以下である。１１０度より大きい場合、または７０度より小さい場合には、正面コントラストの低下を招く可能性があり好ましくない。
また、第１の光学異方性層のチルト方向と偏光板の吸収軸のなす角度は３０度以上６０度以下であることが好ましい。さらに好ましくは４０度以上５０度以下である。６０度より大きい場合、または３０度より小さい場合には、正面コントラストの低下を招く可能性があり好ましくない。
また、第２の光学異方性層の遅相軸と偏光板の吸収軸のなす角度は３０度以上６０度以下であることが好ましい。さらに好ましくは４０度以上５０度以下である。６０度より大きい場合、または３０度より小さい場合には、正面コントラストの低下を招く可能性があり好ましくない。
また、第３の光学異方性層と偏光板の吸収軸とのなす角度は、直交あるいは平行の配置であることが好ましい。すなわち、直交とは、通常８０〜１００度、好ましくは８５〜９５度、更に好ましくは略９０度の範囲であり、平行とは、通常１０度以内、好ましくは５度以内、更に好ましくは略０度の範囲である。上記範囲においては、正面コントラストの低下による画質の低下の恐れがある。
【００４４】
前記光拡散層、バックライト、光制御フィルム、導光板、プリズムシートとしては、特に制限されず公知のものを使用することができる。
本発明の液晶表示装置は、前記した構成部材以外にも他の構成部材を付設することができる。例えば、カラーフィルターを本発明の液晶表示装置に付設することにより、色純度の高いマルチカラー又はフルカラー表示を行うことができるカラー液晶表示装置を作製することができる。
【実施例】
【００４５】
以下、本発明を実施例および比較例によりさらに具体的に説明するが、本発明はこれらに限定されるものではない。なお、本実施例における位相差値（Δｎｄ）は特に断りのない限り波長５５０ｎｍにおける値とする。
【００４６】
（１）フィルム膜厚測定法
フィルム膜厚の測定は、ＳＬＯＡＮ社製ＳＵＲＦＡＣＥ  ＴＥＸＴＵＲＥ  ＡＮＡＬＹＳＩＳ  ＳＹＳＴＥＭ  Ｄｅｋｔａｋ  ３０３０ＳＴを用いた。また、干渉波測定（日本分光(株)製  紫外・可視・近赤外分光光度計Ｖ−５７０）と屈折率のデータから膜厚を求める方法も併用した。
（２）液晶フィルムのパラメータ測定
王子計測機器（株）製自動複屈折計ＫＯＢＲＡ２１ＡＤＨを用いた。
【００４７】
＜実施例１＞
実施例１の液晶表示装置の概念図については図４を、その軸構成については図５を用いて説明する。
基板１にＩＴＯ等の透過率の高い材料で形成された透明電極３が設けられ、基板２にＩＴＯ等の透過率の高い材料で形成された対向電極４が設けられ、透明電極３と対向電極４との間に正の誘電率異方性を示す液晶材料からなる液晶層５が挟持されている。基板２の対向電極４が形成された側の反対側に第３の光学異方性層１１、偏光板７が設けられており、基板１の透明電極３が形成された面の反対側に第１の光学異方性層９、第２の光学異方性層１０及び偏光板８が設けられている。偏光板８の背面側にはバックライト１２が設けられている。
特開平６−３４７７４２号公報に従って、膜厚方向の平均チルト角が２８度のネマチックハイブリッド配向が固定化された膜厚０．６９μｍの液晶フィルムからなる第１の光学異方性層９（Δｎｄは１２０ｎｍ）を作製し、図５に示したような軸配置で液晶表示装置を作製した。
使用した液晶セル６は、液晶材料としてＺＬＩ−１６９５（Ｍｅｒｃｋ社製）を用い、液晶層厚は４．９μｍとした。液晶層の基板両界面のプレチルト角は３度であり、液晶セルのΔｎｄは略３２０ｎｍであった。
偏光板７及び８には、住友化学（株）製ＳＱＷ−０６２（厚み約１００μｍ；）を使用した。
第２の光学異方性層１０は、一軸延伸したポリカーボネートフィルムからなる高分子延伸フィルム（Δｎｄは略１７０ｎｍ）とした。
第３の光学異方性層１１は、ノルボルネン系フィルムからなる高分子延伸フィルム（日本ゼオン（株）製ゼオノア、Δｎｄは略１００ｎｍ）とした。
偏光板７及び８の吸収軸、液晶セル６の両界面のプレチルト方向、液晶フィルム９のチルト方向、高分子延伸フィルム１０、高分子延伸フィルム１１の遅相軸は図５に記載した条件で配置した。
図６は、白表示０Ｖ、黒表示５Ｖの透過率の比（白表示）／（黒表示）をコントラスト比として、全方位からのコントラスト比を示している。  
図６から良好な視野角特性を持っていることが分かった。なお、図６の同心円は２０度間隔で描かれている。したがって最外円は中心から８０度を示す。コントラストの等高線は内側から順に５０，３０，１０，２とした（以下の図も同様）。
【００４８】
＜実施例２＞
実施例２の液晶表示装置の概念図については図７を、その軸構成については図８を用いて説明する。
実施例１で用いた液晶セル６において、基板２の対向電極４が形成された面の反対側に、第１の光学異方性層９、第２の光学異方性層１０及び偏光板７が設けられており、基板１の透明電極３が形成された面の反対側に第３の光学異方性層１１、偏光板８が設けられている。偏光板８の背面側にはバックライト１２が設けられている。
偏光板７、８、第１の光学異方性層９、第２の光学異方性層１０、第３の光学異方性層１１は、実施例１と同様のものを用いた。
偏光板７及び８の吸収軸、液晶セル６の両界面のプレチルト方向、液晶フィルム９のチルト方向、高分子延伸フィルム１０、高分子延伸フィルム１１の遅相軸は図８に記載した条件で配置した。
図９は、白表示０Ｖ、黒表示５Ｖの透過率の比（白表示）／（黒表示）をコントラスト比として、全方位からのコントラスト比を示している。
図９から良好な視野角特性を持っていることが分かった。
【００４９】
＜実施例３＞
実施例３の液晶表示装置の概念図については図１０、その軸構成については図１１を用いて説明する。
実施例１で用いた液晶表示装置において、第２の光学異方性層１０の位置を、第１の光学異方性層９と偏光板８との間から、第３の光学異方性層１１と基板２の間に移動した以外は、実施例１と同様にして作製した。
図１２は、白表示０Ｖ、黒表示５Ｖの透過率の比（白表示）／（黒表示）をコントラスト比として、全方位からのコントラスト比を示している。
図１２から良好な視野角特性を持っていることが分かった。
【００５０】
＜実施例４＞
実施例４の液晶表示装置の概念図については図１３を、その軸構成については図１４を用いて説明する。
実施例２で用いた液晶表示装置において、第２の光学異方性層１０の位置を、第１の光学異方性層９と偏光板７との間から、第３の光学異方性層１１と基板１の間に移動した以外は、実施例１と同様にして作製した。
図１５は、白表示０Ｖ、黒表示５Ｖの透過率の比（白表示）／（黒表示）をコントラスト比として、全方位からのコントラスト比を示している。
図１５から良好な視野角特性を持っていることが分かった。
【００５１】
＜実施例５＞
実施例５の液晶表示装置の概念図については図１６、その軸構成については図１７を用いて説明する。
実施例１で用いた液晶表示装置において、第１の光学異方性層９の位置を、基板１と第２の光学異方性層１０との間から、第３の光学異方性層１１と基板２の間に移動した以外は、実施例１と同様にして作製した。
図１８は、白表示０Ｖ、黒表示５Ｖの透過率の比（白表示）／（黒表示）をコントラスト比として、全方位からのコントラスト比を示している。
図１８から良好な視野角特性を持っていることが分かった。
【００５２】
＜実施例６＞
実施例６の液晶表示装置の概念図については図１９、その軸構成については図２０を用いて説明する。
実施例２で用いた液晶表示装置において、第１の光学異方性層９の位置を、基板２と第２の光学異方性層１０との間から、第３の光学異方性層１１と基板１の間に移動した以外は、実施例１と同様にして作製した。
図２１は、白表示０Ｖ、黒表示５Ｖの透過率の比（白表示）／（黒表示）をコントラスト比として、全方位からのコントラスト比を示している。
図２１から良好な視野角特性を持っていることが分かった。
【００５３】
＜比較例１＞
比較例１の液晶表示装置の概念図については図２２、その軸構成については図２３を用いて説明する。
実施例１で用いた液晶表示装置において、第１の光学異方性層９と第２の光学異方性層１０の位置を入れ替えた以外は、実施例１と同様にして作製した。
図２４は、白表示０Ｖ、黒表示５Ｖの透過率の比（白表示）／（黒表示）をコントラスト比として、全方位からのコントラスト比を示している。
視野角特性について、実施例１と比較例１を比較する。
全方位の等コントラスト曲線を図６と図２４で比較すると、第２の光学異方性層１０を液晶セルのバックライト側（図の下側）とした場合に、大幅に視野角特性が改善されていることが分かる。
【００５４】
＜比較例２＞
比較例２の液晶表示装置の概念図については図２５、その軸構成については図２６を用いて説明する。
実施例２で用いた液晶表示装置において、第１の光学異方性層９と第２の光学異方性層１０の位置を入れ替えた以外は、実施例２と同様にして作製した。
図２７は、白表示０Ｖ、黒表示５Ｖの透過率の比（白表示）／（黒表示）をコントラスト比として、全方位からのコントラスト比を示している。
視野角特性について、実施例２と比較例２を比較する。
全方位の等コントラスト曲線を図９と図２７で比較すると、第２の光学異方性層１０を液晶セルのバックライト側（図の下側）とした場合に、大幅に視野角特性が改善されていることが分かる。
【００５５】
＜比較例３＞
比較例３の液晶表示装置の概念図については図２８、その軸構成については図２９を用いて説明する。実施例３において、第３の光学異方性層１１を除いた以外は、実施例３と同様にして作製した。
図３０は、白表示０Ｖ、黒表示５Ｖの透過率の比（白表示）／（黒表示）をコントラスト比として、全方位からのコントラスト比を示している。
視野角特性について、実施例３と比較例３を比較する。
全方位の等コントラスト曲線を図６と図３０で比較すると、第３の光学異方性層１１を追加することで、大幅に視野角特性が改善されていることが分かる。
本実施例では、カラーフィルターの無い形態で実験を行ったが、液晶セル中にカラーフィルターを設ければ、良好なマルチカラー、またはフルカラー表示ができることは言うまでもない。
【図面の簡単な説明】
【００５６】
【図１】液晶分子のチルト角及びツイスト角を説明するための概念図である。
【図２】第２の光学異方素子を構成する液晶性フィルムの配向構造の概念図である。
【図３】液晶セルのプレチルト方向を説明する概念図である。
【図４】実施例１の液晶表示装置を模式的に表した断面図である。
【図５】実施例１における偏光板の吸収軸、液晶セルのプレチルト方向、高分子延伸フィルムの遅相軸および液晶フィルムのチルト方向の角度関係を示した平面図である。
【図６】実施例１における液晶表示装置を全方位から見た時のコントラスト比を示す図である。
【図７】実施例２の液晶表示装置を模式的に表した断面図である。
【図８】実施例２における偏光板の吸収軸、液晶セルのプレチルト方向、高分子延伸フィルムの遅相軸および液晶フィルムのチルト方向の角度関係を示した平面図である。
【図９】実施例２における液晶表示装置を全方位から見た時のコントラスト比を示す図である。
【図１０】実施例３の液晶表示装置を模式的に表した断面図である。
【図１１】実施例３における偏光板の吸収軸、液晶セルのプレチルト方向、高分子延伸フィルムの遅相軸および液晶フィルムのチルト方向の角度関係を示した平面図である。
【図１２】実施例３における液晶表示装置を全方位から見た時のコントラスト比を示す図である。
【図１３】実施例４の液晶表示装置を模式的に表した断面図である。
【図１４】実施例４における偏光板の吸収軸、液晶セルのプレチルト方向、高分子延伸フィルムの遅相軸および液晶フィルムのチルト方向の角度関係を示した平面図である。
【図１５】実施例４における液晶表示装置を全方位から見た時のコントラスト比を示す図である。
【図１６】実施例５の液晶表示装置を模式的に表した断面図である。
【図１７】実施例５における偏光板の吸収軸、液晶セルのプレチルト方向、高分子延伸フィルムの遅相軸および液晶フィルムのチルト方向の角度関係を示した平面図である。
【図１８】実施例５における液晶表示装置を全方位から見た時のコントラスト比を示す図である。
【図１９】実施例６の液晶表示装置を模式的に表した断面図である。
【図２０】実施例６における偏光板の吸収軸、液晶セルのプレチルト方向、高分子延伸フィルムの遅相軸および液晶フィルムのチルト方向の角度関係を示した平面図である。
【図２１】実施例６における液晶表示装置を全方位から見た時のコントラスト比を示す図である。
【図２２】比較例１の液晶表示装置を模式的に表した断面図である。
【図２３】比較例１における偏光板の吸収軸、液晶セルのプレチルト方向、高分子延伸フィルムの遅相軸および液晶フィルムのチルト方向の角度関係を示した平面図である。
【図２４】比較例１における液晶表示装置を全方位から見た時のコントラスト比を示す図である。
【図２５】比較例２の液晶表示装置を模式的に表した断面図である。
【図２６】比較例２における偏光板の吸収軸、液晶セルのプレチルト方向、高分子延伸フィルムの遅相軸および液晶フィルムのチルト方向の角度関係を示した平面図である。
【図２７】比較例２における液晶表示装置を全方位から見た時のコントラスト比を示す図である。
【図２８】比較例３の液晶表示装置を模式的に表した断面図である。
【図２９】比較例３における偏光板の吸収軸、液晶セルのプレチルト方向、高分子延伸フィルムの遅相軸および液晶フィルムのチルト方向の角度関係を示した平面図である。
【図３０】比較例３における液晶表示装置を全方位から見た時のコントラスト比を示す図である。
【符号の説明】
【００５７】
１、２：基板
３：透明電極
４：対向電極
５：液晶層
６：液晶セル
７、８：偏光板
９：第１の光学異方性層
１０：第２の光学異方性層
１１：第３の光学異方性層
１２：バックライト
【図１】
2008129177.tif 000003
【図２】
2008129177.tif 000004
【図３】
2008129177.tif 000005
【図４】
2008129177.tif 000006
【図５】
2008129177.tif 000007
【図６】
2008129177.tif 000008
【図７】
2008129177.tif 000009
【図８】
2008129177.tif 000010
【図９】
2008129177.tif 000011
【図１０】
2008129177.tif 000012
【図１１】
2008129177.tif 000013
【図１２】
2008129177.tif 000014
【図１３】
2008129177.tif 000015
【図１４】
2008129177.tif 000016
【図１５】
2008129177.tif 000017
【図１６】
2008129177.tif 000018
【図１７】
2008129177.tif 000019
【図１８】
2008129177.tif 000020
【図１９】
2008129177.tif 000021
【図２０】
2008129177.tif 000022
【図２１】
2008129177.tif 000023
【図２２】
2008129177.tif 000024
【図２３】
2008129177.tif 000025
【図２４】
2008129177.tif 000026
【図２５】
2008129177.tif 000027
【図２６】
2008129177.tif 000028
【図２７】
2008129177.tif 000029
【図２８】
2008129177.tif 000030
【図２９】
2008129177.tif 000031
【図３０】
2008129177.tif 000032